(57)【要約】【課題】楔緊結式足場用の支柱の楔着部に連結して確実な安全確保が可能となる足場支柱連結用フック、並びにこの足場支柱連結用フックを備えた安全帯を提供すること。【解決手段】略Ｃ状のフック体１の開口部２の一端部を、足場支柱３の楔着部４の差込用穴部４Ａに上方から差込可能な形状の差込部５に形成すると共に、この差込部５と隣接状態にして差込用穴部４Ａの穴縁に上方から掛止する掛止部13をフック体１の内縁部に形成し、このフック体１に開閉体６の一端部を回動自在に枢着して、この開閉体６の回動によりフック体１の開口部２を開閉回動自在に閉塞する構成とし、このフック体１の開口部２の他端側であって掛止部13の略真下位置に、ロープやベルト７Ａなどの連結用部材７を連結する連結部８を設けた足場支柱連結用フック。【選択図】図２
2011089315.tif 000002
【特許請求の範囲】
【請求項１】
略Ｃ状のフック体の開口部の一端部を、足場支柱に設けられた楔着部の差込用穴部に上方から差込可能な形状の差込部に形成すると共に、この差込部を前記差込用穴部に上方から差込した際に差込用穴部の穴縁に上方から掛止する掛止部を差込部と隣接状態にして前記フック体の内縁部に形成し、このフック体に開閉体の一端部を回動自在に枢着して、この開閉体の回動によりフック体の開口部を開閉回動自在に閉塞する構成とし、このフック体の開口部の他端側にロープやベルトなどの連結用部材を連結する連結部を設けると共に、この連結部は、前記差込部を前記差込用穴部に上方から差込して差込用穴部の穴縁に上方から前記掛止部を掛止した際に、この掛止部の略真下に位置するようにしてフック体の開口部の他端側に設けたことを特徴とする足場支柱連結用フック。
【請求項２】
前記フック体は、前記差込部を前記差込用穴部に上方から差込して差込用穴部の穴縁に上方から前記掛止部を掛止した際に、このフック体の前記開口部の他端部が前記足場支柱の側面に当接する形状に設定したことを特徴とする請求項１記載の足場支柱連結用フック。
【請求項３】
前記差込部を前記差込用穴部に上方から差込して差込用穴部の穴縁に上方から前記掛止部を掛止した際に、前記開閉体と前記足場支柱の側面との間に作業者が手を入れて開閉体を開閉操作し得る操作用間隙を生じるように、前記フック体若しくは前記開閉体の形状を設定するか、又は開閉体のフック体への枢着位置を設定したことを特徴とする請求項１，２のいずれか１項に記載の足場支柱連結用フック。
【請求項４】
前記開閉体は、前記フック体の開口部を閉塞した状態からこのフック体の内側方向へ開放回動するように構成すると共に、この開閉体に、前記フック体の開口部を閉塞する外側方向へ回動付勢力を付与する開閉体用付勢手段を設けたことを特徴とする請求項１〜３のいずれか１項に記載の足場支柱連結用フック。
【請求項５】
作業者の胴部に装着可能な胴帯部に、ロープやベルトなどの連結用部材を突設し、この連結用部材の先端にフックを連結して成る安全帯において、前記フックに、前記請求項１〜４のいずれか１項に記載の足場支柱連結用フックを採用したことを特徴とする安全帯。
【発明の詳細な説明】
【技術分野】
【０００１】
本発明は、楔緊結式足場の足場支柱に連結可能な足場支柱連結用フック、並びにこの足場支柱連結用フックを備えた安全帯に関するものである。
【背景技術】
【０００２】
家屋などの構築にあたっては、建築物の周囲に仮設足場が組み立てられるが、この種の仮設足場として、楔緊結式足場と称されるものが従来から実施されている。
【０００３】
この楔緊結式足場は、足場支柱３に一定間隔を置いて楔着部４（ポケットとも称される）が設けられる一方、水平材や斜材には前記楔着部４に楔着する楔部が備えられていて、楔部を楔着部４に楔着することにより足場支柱３に水平材や斜材を組み付けできるもので、組み立て容易であると共に盛替えや組替え作業が簡単にできるというメリットがある（例えば、特許文献１参照。）。
【先行技術文献】
【特許文献】
【０００４】
【特許文献１】特開２００３−１９３６７８号公報
【発明の概要】
【発明が解決しようとする課題】
【０００５】
仮設足場での高所作業は、作業者Ｓが安全帯Ａを身に付け、この安全帯Ａにロープやベルト７Ａなどを介して設けられているフック30（一般的に大径フック30と称される。）を親綱や水平材や単管などに連結することで落下時の安全を確保している。
【０００６】
ところで、上記した楔緊結式足場用の足場支柱３には楔着部４が備えられているため、この楔緊結式足場での作業に際して、安全帯Ａの大径フック30を楔着部４に連結できれば、非常に簡単に且つ迅速に安全確保を行えて便利ではないかと考えられる。
【０００７】
しかし、安全帯Ａに備えられている一般的な大径フック30は、図６に示すように、開口部31の一端部を楔着部４に差込して連結することは可能であるが、このような使い方をすると、大径フック30の基部に設けられたロープやベルト７Ａなどとの連結部33が足場支柱３に対して側方へ突出した状態で連結されることになる。そして、万一作業者Ｓが落下した際には、楔着部４の真下方向に作業者Ｓの荷重が加わるために、大径フック30の一端部32の差込部付近がこの荷重で変形してしまい（図６中の想像線に示すように、連結部33が足場支柱３に接近するように大径フック30の一端側が変形してしまい）、場合によってはこの変形部位が折損してしまう危険性もあるため、このような使い方はしてはならないとされていた。
【０００８】
本発明は、このような現状に鑑みて発案されたもので、楔緊結式足場用の支柱の楔着部に連結して確実な安全確保が可能となる足場支柱連結用フック、並びにこの足場支柱連結用フックを備えた安全帯を提供するものである。
【課題を解決するための手段】
【０００９】
添付図面を参照して本発明の要旨を説明する。
【００１０】
略Ｃ状のフック体１の開口部２の一端部を、足場支柱３に設けられた楔着部４の差込用穴部４Ａに上方から差込可能な形状の差込部５に形成すると共に、この差込部５を前記差込用穴部４Ａに上方から差込した際に差込用穴部４Ａの穴縁に上方から掛止する掛止部13を差込部５と隣接状態にして前記フック体１の内縁部に形成し、このフック体１に開閉体６の一端部を回動自在に枢着して、この開閉体６の回動によりフック体１の開口部２を開閉回動自在に閉塞する構成とし、このフック体１の開口部２の他端側にロープやベルト７Ａなどの連結用部材７を連結する連結部８を設けると共に、この連結部８は、前記差込部５を前記差込用穴部４Ａに上方から差込して差込用穴部４Ａの穴縁に上方から前記掛止部13を掛止した際に、この掛止部13の略真下に位置するようにしてフック体１の開口部２の他端側に設けたことを特徴とする足場支柱連結用フックに係るものである。
【００１１】
また、前記フック体１は、前記差込部５を前記差込用穴部４Ａに上方から差込して差込用穴部４Ａの穴縁に上方から前記掛止部13を掛止した際に、このフック体１の前記開口部２の他端部が前記足場支柱３の側面に当接する形状に設定したことを特徴とする請求項１記載の足場支柱連結用フックに係るものである。
【００１２】
また、前記差込部５を前記差込用穴部４Ａに上方から差込して差込用穴部４Ａの穴縁に上方から前記掛止部13を掛止した際に、前記開閉体６と前記足場支柱３の側面との間に作業者Ｓが手を入れて開閉体６を開閉操作し得る操作用間隙20を生じるように、前記フック体１若しくは前記開閉体６の形状を設定するか、又は開閉体６のフック体１への枢着位置を設定したことを特徴とする請求項１，２のいずれか１項に記載の足場支柱連結用フックに係るものである。
【００１３】
また、前記開閉体６は、前記フック体１の開口部２を閉塞した状態からこのフック体１の内側方向へ開放回動するように構成すると共に、この開閉体６に、前記フック体１の開口部２を閉塞する外側方向へ回動付勢力を付与する開閉体用付勢手段９を設けたことを特徴とする請求項１〜３のいずれか１項に記載の足場支柱連結用フックに係るものである。
【００１４】
また、作業者Ｓの胴部に装着可能な胴帯部21に、ロープやベルト７Ａなどの連結用部材７を突設し、この連結用部材７の先端にフックを連結して成る安全帯Ａにおいて、前記フックに、前記請求項１〜４のいずれか１項に記載の足場支柱連結用フックを採用したことを特徴とする安全帯に係るものである。
【発明の効果】
【００１５】
本発明は上述のように構成したから、足場支柱の楔着部の差込用穴部に対して、差込部を上方から差込して掛止部を差込用穴部の穴縁に掛止するだけで簡単且つ迅速に連結することができると共に、この連結状態を開閉体によって維持することができる連結操作性に優れた足場支柱連結用フックとなり、また、フック体の連結部にロープやベルトなどの連結用部材を連結することができるので、例えば、連結部に連結用部材の一端を連結し、この連結用部材の他端を作業者に連結すれば、楔緊結式足場での落下防止用途に使用することができる上、作業者が誤って落下した際には、作業者の荷重が加わる方向に連結部が位置するように、即ち差込用穴部に掛止した掛止部の略真下に連結部が位置するように構成してあるので、既存の大径フックを楔着部に連結した場合のようにフック体が変形してしまうことはなく、フック体の楔着部への連結状態が確固に保持されて作業者の安全を確保可能であるなど、極めて実用性に優れた画期的な足場支柱連結用フックとなる。
【００１６】
また、請求項２記載の発明においては、本発明品を作業者の落下防止用途に使用した場合に誤って作業者が落下しても、この作業者の落下荷重を掛止部が掛止される楔着部と、フック体の他端部が当接する足場支柱の側面との二点で支持することになるので、一層耐荷重性能が向上して確固な落下防止作用が発揮されることになる極めて実用性に優れた足場支柱連結用フックとなる。
【００１７】
また、請求項３記載の発明においては、楔着部に連結したフック体の取り外し操作が極めて容易に行われる一層実用性に優れた足場支柱連結用フックとなる。
【００１８】
また、請求項４記載の発明においては、開閉体の開閉操作と差込部の差込操作とを一連の動作のうちに行うことができるために操作性に優れ、その上、連結後は簡単にフック体の開口部が開放するようなことがなく連結状態が維持されることになるなど、一層信頼性の高い優れた足場支柱連結用フックとなる。
【００１９】
また、請求項５記載の発明においては上述のように構成したから、前記作用・効果を発揮する極めて実用性に優れた安全帯となる。
【図面の簡単な説明】
【００２０】
【図１】本実施例の足場支柱連結用フックを示す斜視図である。
【図２】本実施例の使用状態を示す概略説明図である。
【図３】本実施例の足場支柱連結用フックを示す開閉体を切り欠いた説明側面図である。
【図４】本実施例の足場支柱連結用フックの開閉体を開放回動させて差込部を足場支柱の楔着部に差込しようとする状態を示す説明側面図である。
【図５】本実施例の足場支柱連結用フックの差込部を足場支柱の楔着部に差込して掛止部を掛止し、開閉体でフック体の開口部を閉塞した連結状態を示す説明側面図である。
【図６】従来の安全帯に備えられた大径フックを、足場支柱の楔着部に差込した場合を示す説明図である。
【発明を実施するための形態】
【００２１】
好適と考える本発明の実施形態（発明をどのように実施するか）を、図面に基づいて本発明の作用を示して簡単に説明する。
【００２２】
足場支柱３の楔着部４の差込用穴部４Ａに、上方からフック体１の差込部５を差込して、この差込部５に隣接するフック体１内縁部の掛止部13を差込用穴部４Ａの穴縁に上方から掛止した後、フック体１の開口部２を開閉体６で閉塞すると、本発明品を足場支柱３に連結することができる。
【００２３】
従って、このような非常に簡単な操作により迅速に楔緊結式足場の足場支柱３に対して連結することが可能である。
【００２４】
また、本発明品を足場支柱３に連結すると、前記掛止部13の略真下に連結部８が位置することになり、この連結部８には、ロープやベルト７Ａなどの連結用部材７を連結することができる。
【００２５】
従って、例えば、連結部８にロープやベルト７Ａなどの連結用部材７の一端を連結し、この連結用部材７の他端を作業者Ｓに連結すれば、フック体１を足場支柱３の楔着部４に連結した際に作業者Ｓの落下防止効果が発揮されることとなり、しかも、作業者Ｓが万一落下した際には楔着部４の真下方向に向かって連結部８に作業者Ｓの荷重が加わるが、この荷重が加わる方向に連結部８が位置するようにしてフック体１が連結されているので、このフック体１が既存の大径フック30を楔着部４に連結した場合のように変形してしまうことはなく、それ故フック体１の楔着部４への連結状態が良好に保持されて作業者Ｓの墜落を確実に防止できることになる。
【００２６】
また、例えば、安全帯Ａの連結用部材７の先端に連結するフックとして本発明品を採用すれば（安全帯Ａから突設する連結用部材７の先端にフック体１の連結部８を連結すれば）、楔緊結式足場の足場支柱３に対して簡単に且つ迅速に連結可能で確実に落下防止効果が得られる安全帯Ａを実現できることとなる。
【００２７】
また、例えば、前記フック体１は、前記差込部５を前記差込用穴部４Ａに上方から差込して差込用穴部４Ａの穴縁に上方から前記掛止部13を掛止した際に、このフック体１の前記開口部２の他端部が前記足場支柱３の側面に当接する形状に設定すれば、本発明品を作業者Ｓの落下防止用途に使用した際に誤って作業者Ｓが落下しても、この作業者Ｓの落下荷重が掛止部13が掛止される楔着部４と共に、フック体１の他端部が当接する足場支柱３の側面によっても支持されることになるので、一層良好な耐荷重性能を発揮して極めて確固な落下防止作用を発揮することになる。
【００２８】
また、例えば、前記差込部５を前記差込用穴部４Ａに上方から差込して差込用穴部４Ａの穴縁に上方から前記掛止部13を掛止した際に、前記開閉体６と前記足場支柱３の側面との間の前記開口部２に作業者Ｓが手を入れて開閉体６を開閉操作し得る操作用間隙20を生じるように、前記フック体１若しくは前記開閉体６の形状を設定するか、又は開閉体６のフック体１への枢着位置を設定すれば、楔着部４に連結したフック体１を取り外す際に、操作用間隙20に作業者Ｓが手を入れて開閉体６を容易に開放回動操作できることになる。
【００２９】
また、例えば、前記開閉体６は、前記フック体１の開口部２を閉塞した状態からこのフック体１の内側方向へ開放回動するように構成すると共に、この開閉体６に、前記フック体１の開口部２を閉塞する外側方向へ回動付勢力を付与する開閉体用付勢手段９を設ければ、例えば、楔着部４に開閉体６を押し当てるようにして開閉体６をフック体１の内側方向へ開放回動させることができ、これに続く一連の動作のうちに差込部５を楔着部４に差込んで連結することができるので、連結操作性に優れ極めて迅速に連結可能であり、その上、差込部５を楔着部４に差込んでしまえば開閉体６が開閉体用付勢手段９によって閉塞回動方向に回動付勢されるので、自動的に開口部２が閉塞し、簡単にフック体１の開口部２が開放して楔着部４との連結状態が解除されるようなこともないなど、一層実用的となる。
【実施例】
【００３０】
本発明の具体的な実施例について図面に基づいて説明する。
【００３１】
本実施例は、既存の楔緊結式足場の足場支柱３に設けられた楔着部４に連結可能な足場支柱連結用フックに係るものである。尚、図示した足場支柱３は、上下方向に間隔を置いた複数箇所に楔着部４を設け、この各楔着部４は、コ字形の部材を足場支柱３の側面に接合することで上下が開放する平面視方形枠状をなすように構成すると共に、この枠内の差込用穴部４Ａが下方側へ行くほど先細る形状に構成している。
【００３２】
また、図２は、本実施例の足場支柱連結用フックを、連結用部材７としてのベルト７Ａの先端に設けた（連結した）安全帯Ａを示している。即ち、既存の安全帯Ａの大径フックに換えて本フックを用いることにより、楔緊結式足場の足場支柱３連結用の安全帯Ａを構成した場合を示している。図中符号21は作業者Ｓの胴部に装着可能な胴帯部である。
【００３３】
本実施例の足場支柱連結用フックは、Ｃ状のフック体１の開口部２の一端部を、前記足場支柱３の楔着部４の差込用穴部４Ａに上方から差込可能な形状の差込部５に形成すると共に、この差込部５を前記差込用穴部４Ａに上方から差込した際に差込用穴部４Ａの穴縁に上方から掛止する掛止部13を差込部５と隣接状態にして前記フック体１の内縁部に形成している。
【００３４】
具体的には、フック体１は、金属製板材をその板面が左右側面部となるようにして側面視で略Ｃ字状をなす形状に形成し、このフック体１の開口部２より一側部分（図面において上側部分を）逆Ｕ字状をなす折り返し形状に形成し、この折り返し先端部である開口部２の一端部を、楔着部４内の差込用穴部４Ａの先細り形状に同調する先細り形状に形成して、この一端部を前記差込部５としている。即ち、差込部５はフック体１の一端部に一体成形した場合を示している。
【００３５】
また、このフック体１の開口部２の他端部（図面において下端部）に、連結部８としての貫通丸孔を形成して、この連結部８に前記安全帯Ａのベルト７Ａ先端を連結した構成としている。
【００３６】
また、差込部５に隣接するフック体１一側部分の内縁部の、最も図面上方に位置する折り返し状部分（頂点部分）を、差込部５を差込用穴部４Ａに差込した際に、この差込用穴部４Ａの穴縁に上方から掛止（載置当接）し得る前記掛止部13としている。従って、この掛止部13の掛止作用により、差込部５が前記楔着部４に対して下方へ抜け止め状態となるように構成している。
【００３７】
また、このフック体１の掛止部13を前記楔着部４の上縁部に掛止した際に、前記差込部５の差込先端部５Ａが楔着部４の下縁より下方へ突出するようにこの差込部５の差込長（垂下長）を設定構成している。従って、差込部５が楔着部４を貫通する長い差込長をもって安定的に差し込まれるので、差込部５の差込連結状態が安定的となって確実な連結状態が実現する構成としている。
【００３８】
また、このフック体１は、前記差込部５を前記差込用穴部４Ａに上方から差込して差込用穴部４Ａの穴縁に上方から前記掛止部13を掛止した際に、この掛止部13の略真下に前記連結部８が位置するようにフック体１の形状並びに掛止部13の形成位置並びに連結部８のフック体１他端部への形成位置を設定構成している。
【００３９】
また、このフック体１は、前記差込部５を前記差込用穴部４Ａに上方から差込して差込用穴部４Ａの穴縁に上方から前記掛止部13を掛止した際に、このフック体１の前記開口部２の他端部が前記足場支柱３の側面に当接するＣ状形状に設定して、このフック体１を楔着部４に連結すると、このフック体１が、楔着部４（差込用穴部４Ａの上部穴縁）と、フック体１の他端部が当接する足場支柱３の側面との二点で安定的に支持されることになる構成としている。
【００４０】
また、本実施例では、このフック体１に開閉体６の一端部を回動自在に枢着して、この開閉体６の回動によりフック体１の開口部２を開閉回動自在に閉塞する構成としている。
【００４１】
開閉体６は、金属製板材を断面略Ｕ字状に折曲形成して構成し、この断面略Ｕ字状の開閉体６の中間板部を手指で押圧操作可能な操作部６Ａとすると共に、この開閉体６をフック体１の中程の内縁部に被嵌した上で開閉体６の一端部（図面において下側端部）をフック体１の中程よりやや開口部２の他端側位置に枢着して、この枢着部14を回動支点に開閉体６がフック体１の内・外方向へ回動（フック体１の中程の内縁部に対して起伏回動）自在に設けている。
【００４２】
また、この開閉体６は、その回動先端部である他端部（図面において上側端部）が前記差込部５の差込先端部５Ａに当接可能な長さ寸法を有する構成として、この開閉体６の他端部が差込先端部５Ａに当接することでフック体１の開口部２が閉塞される構成としている。
【００４３】
また、この開閉体６は、開口部２を閉塞した際に、その他端部がフック体１の差込先端部５Ａの内縁部に当接して外側へ回動不能状態となるように構成している。即ち、この開閉体６は、前記枢着部14を回動支点としてフック体１の内側（図４の矢印方向）に開放回動し得るように構成している。
【００４４】
また、この開閉体６に、前記フック体１の開口部２を閉塞する外側方向へ回動付勢力を付与する開閉体用付勢手段９を設けている。
【００４５】
更に詳しくは、開閉体６が被嵌しているフック体１の外縁部に支持凹部18を切欠形成し、この支持凹部18と開閉体６の内側面との間に前記開閉体用付勢手段９としての抗縮弾性を有する弾性体（コイルスプリング）９を配置して、この弾性体９により開閉体６がフック体１の外側方向に常に回動付勢されて開口部２を閉塞するように構成し、この弾性体９の付勢力に抗してフック体１の内側に開放回動操作し得るようにしている。
【００４６】
また、この開閉体６の中程の両側遊離板部間に、ストッパピン16を架設状態に設ける一方、このストッパピン16に対応するフック体１の中程位置にストッパピン16が移動可能なガイド長孔17を貫通形成して、開閉体６が前記枢着部14を支点に回動すると、ガイド長孔17に沿ってストッパピン16が移動する構成、即ちガイド長孔17によって開閉体６の回動範囲が制限されて過回動が防止される構成としている。
【００４７】
また、本実施例では，前記差込部５を前記差込用穴部４Ａに上方から差込して差込用穴部４Ａの穴縁に上方から前記掛止部13を掛止した際に、前記開閉体６と前記足場支柱３の側面との間の前記開口部２に作業者Ｓが手を入れて開閉体６を開閉操作し得る操作用間隙20を生じるように構成している。
【００４８】
更に詳しくは、前記フック体１の中程の内縁部が足場支柱３の側面より離れた位置に存するようにこのフック体１の中程を足場支柱３の側面に対して外側に突出湾曲する形状に形成すると共に、開閉体６の操作部６Ａが開口部２閉塞状態で足場支柱３の側面に対して傾斜状態となるように（開閉体６が、その他端部側程差込部５側（開口部２側）に向かって傾斜するように）この開閉体６のフック体１への枢着位置を設定構成して、この開閉体６の操作部６Ａと足場支柱３の側面との間に、手指を入れることができる前記操作用間隙20を生じるように構成している。
【００４９】
また、本実施例では、この開閉体６と対向状態にしてフック体１にロックレバー10を設けている。
【００５０】
具体的には、ロックレバー10は、所定長さの板材を断面略Ｕ字状に折曲形成して構成し、この断面略Ｕ字状のロックレバー10を前記開閉体６と図面において左右対向状態となるようにフック体１の中程の外縁部に被嵌している。
【００５１】
また、このロックレバー10は、その一端部（図面において上側端部）をフック体１に枢着して、この枢着部15を回動支点にしてロックレバー10他端側（図面において下側）の回動操作部分がフック体１の内側に向かって回動（フック体１の中程の外縁部に対して起伏回動）するように設けている。
【００５２】
また、本実施例は、このロックレバー10に、前記開閉体６に係止してこの開閉体６を開放回動不能状態にロックする係止部11を設けて、このロックレバー10の回動操作により係止部11が開閉体６から係脱して開閉体６が開放回動可能となるように構成している。
【００５３】
具体的には、ロックレバー10の前記枢着部15側の両側遊離板部をフック体１の内側（対向する開閉体６側）に向けて延設し、この両側の延設板部の先端部に、前記ストッパピン17に対して当接係止する凹状縁を形成してこの凹状縁を前記係止部11としている。即ち、本実施例では、ロックレバー10の係止部11が開閉体６に対して直接係止するのではなく、開閉体６に設けたストッパピン17に対して係止することにより、開閉体６を開放回動不能状態にロックする構成としている。
【００５４】
また、この係止部11は、ロックレバー10が最も外側へ回動移動した位置（図３の状態）にある時に、フック体１の開口部２を閉塞した位置にある開閉体６の前記ストッパピン17に係止し得るように構成し、この係止状態からロックレバー10をフック体１内方へ回動操作することで、係止部11がストッパピン16から係脱して開閉体６を開放回動可能となる構成としている。
【００５５】
また、このロックレバー10に、前記係止部11が開閉体６（ストッパピン17）に係止する方向へ回動付勢力を付与するロックレバー用付勢手段12を設けている。
【００５６】
更に具体的には、ロックレバー10が被嵌しているフック体１の外縁部に受凹部19を切欠形成し、この受凹部19とロックレバー10の内側面との間に前記ロックレバー用付勢手段12としての抗縮弾性を有する弾性体（コイルスプリング）12を配置して、この弾性体12によりロックレバー10がフック体１の外側方向に常に回動付勢されるように構成し、この弾性体12の付勢力に抗してフック体１の内側（図４の矢印方向）に回動操作し得るようにしている。
【００５７】
従って、ロックレバー10を回動操作しない限りは、係止部11が開閉体６に係止してこの開閉体６が開放回動不能状態にロックされる上、ロックレバー用付勢手段12によりロックレバー10が開閉体６の開放回動不能状態を維持するように回動付勢されるので、このロックレバー10（係止部11）による開閉体６の開放回動不能状態が簡単に解除されることがなく、よって、足場支柱３の楔着部４との連結状態が極めて良好に確保される信頼性の高い足場支柱連結用フックとなり、高所作業での作業者Ｓの落下防止目的などの使用に好適となる構成としている。
【００５８】
尚、本発明は、本実施例に限られるものではなく、各構成要件の具体的構成は適宜設計し得るものである。
【符号の説明】
【００５９】
１  フック体
２  開口部
３  足場支柱
４  楔着部
４Ａ  差込用穴部
５  差込部
６  開閉体
７  連結用部材
７Ａ  ベルト
８  連結部
９  開閉体用付勢手段
13  掛止部
20  操作用間隙
21  胴帯部
Ａ  安全帯
Ｓ  作業者
【図１】
2011089315.tif 000003
【図２】
2011089315.tif 000004
【図３】
2011089315.tif 000005
【図４】
2011089315.tif 000006
【図５】
2011089315.tif 000007
【図６】
2011089315.tif 000008